(57)【要約】      （修正有）【課題】限られたキッズルームなどの空間を有効に活用しつつ、非常用備蓄品などをストックすることができる屋内用滑り台を提供する。【解決手段】コーナーないし壁を背に設置する密閉据置型の屋内用滑り台であって、背面下方の内側に非常用備蓄品などを収納することができる収納部Ｂを有することを特徴とする。限られたキッズルームなどの空間を有効に活用しつつ、非常用備蓄品などをストックしておくことができる。【選択図】図３
0003197799.tif 000002
【実用新案登録請求の範囲】
【請求項１】
コーナーないし壁を背に設置する密閉据置型の屋内用滑り台であって、背面下方の内側に非常用備蓄品などを収納することができる収納部を有することを特徴とする、屋内用滑り台。
【請求項２】
コーナーに設置する密閉据置型の屋内用滑り台であって、背面下方の内側に非常用備蓄品などを収納することができる収納部を有することを特徴とする、屋内用滑り台。
【請求項３】
前記収納部が開閉可能な扉を有する、請求項１または２に記載の屋内用滑り台。
【請求項４】
前記扉が引き戸である、請求項３に記載の屋内用滑り台。
【考案の詳細な説明】
【技術分野】
【０００１】
本考案は、滑り台の技術分野に属する。本考案は、キッズルームなどに設置される屋内用滑り台に関するものである。詳しくは、本考案は、キッズルームなどのコーナーないし壁を背に設置する密閉据置型の屋内用滑り台に関するものである。
【背景技術】
【０００２】
子供や幼児らが遊ぶ屋内空間（キッズルーム、キッズスペース等）が、幼稚園や保育園のみならず、ショッピングモールやカラオケ店、あるいは船舶など様々なところで近年設けられている。その中には、子供らの人気が高い滑り台などの遊戯具がよく設置されている。
【０００３】
滑り台は比較的大型の遊戯具であり、スペースを取るため、最近では室内のコーナーや壁際に設置するタイプのものが現れている（例えば、図１の滑り台）。コーナーなどに滑り台を設置すると、スペースを有効に活用することができる。また、子供らの興味を引くべく、お城の形をしたものや動物、魚、貝、植物の形をしたものなど様々な形態の滑り台が存在する（図１の滑り台はお城の形）。
【０００４】
一方、関東大震災や、阪神淡路大震災、東北大震災に代表されるように、日本は地震などの自然災害に見舞われ易い。そのため、非常時に備えて水や食料、あるいは医薬品、懐中電灯、乾電池、携帯ラジオといった非常用備蓄品を適当なところに常時ストックしておくべきであり、近年そのニーズが益々高まっている。特に子供らは災害弱者であり、災害時において上記備蓄品の必要性が高まることが予想される。
【０００５】
従って、子供らが集まる場所には、上記非常用備蓄品が常に存在する状態が望ましい。
【考案の概要】
【考案が解決しようとする課題】
【０００６】
上記の通り、子供らが集まる場所には、非常用備蓄品が常に存在する状態が望ましい。キッズルーム、キッズスペースなどの子供らの遊び場においても例外とは言えない。しかしながら、限られたキッズルームなどに別途、非常用備蓄品をストックする場所を設けると、それだけ子供らの遊ぶ空間が狭くなってしまう。
【０００７】
本考案は、限られたキッズルームなどの屋内空間を有効に活用しつつ、非常用備蓄品をストックすることができるものを提供することを主な課題とする。
【課題を解決するための手段】
【０００８】
本考案者は、鋭意検討の結果、室内のコーナーなどに設置される、密閉据置型の屋内用滑り台の背面に着目し、そこに非常用備蓄品等をストックすることができる収納部を設けることで、上記課題を解決することができることを見出し、本考案を完成するに至った。
【０００９】
本考案として、例えば、下記のものを挙げることができる。
［１］コーナーないし壁を背に設置する密閉据置型の屋内用滑り台であって、背面下方の内側に非常用備蓄品などを収納することができる収納部を有することを特徴とする、屋内用滑り台。
［２］コーナーに設置する密閉据置型の屋内用滑り台であって、背面下方の内側に非常用備蓄品などを収納することができる収納部を有することを特徴とする、屋内用滑り台。
【００１０】
［３］前記収納部が開閉可能な扉を有する、上記［１］または［２］に記載の屋内用滑り台。
［４］前記扉が引き戸である、上記［３］に記載の屋内用滑り台。
【００１１】
以下、本考案について詳述する。
本考案は、コーナーないし壁を背に設置する密閉据置型の屋内用滑り台（以下、「本考案滑り台」という。）に関するものである。
【００１２】
本考案滑り台は、基本的にコーナーないし壁を背に設置して使用するものであるが、それ以外の空間に設置して使用することも可能である。前記コーナーとしては、室内の四隅のみならず、パーテーションなど何らかの衝立ないし間仕切りによってＬ字型、コ字型、口字型などに区切られた角も挙げることができる。壁は、通常、内壁や間仕切り壁をいうが、二つの区画を隔てる構造物であれば特に制限されない。場合により、塀や垣も挙げることができる。
【００１３】
本考案滑り台が設置される場所としては、屋内ならば特に制限されないが、例えば、幼稚園、保育所などの教育施設内ないし児童福祉施設内、病院内、室内、ショッピングモールやショッピングスーパー、百貨店、カラオケ店、書店、量販店、ホームセンターなどの商業施設内やそのキッズルームないしキッズスペース、展示会場内、催し物会場内やそのキッズルームないしキッズスペースを挙げることができる。船舶内、鉄道内などの乗り物内にも、相応のスペースがあれば設置することができる。本考案滑り台は、基本的に屋内に設置するものであるが、屋外に設置することを排除するものではない。
【００１４】
ここで「密閉据置型」とは、例えば図１に示される写真のように、滑り台本体の内側には基本的に進入することができず、階段や滑走部などのパーツを組み合わせて完成させるか、それらが一体となっているタイプのものをいう。通常、折り畳み式でなく、滑り口に登るための階段は正面側ないし側面側にある。
【００１５】
本考案滑り台は、背面下方の内側に収納部を有することを特徴とする。そのため背面下方の内側は空洞になっている。その空洞の大きさは特に制限されない。また、当該空洞をいくつかのパートに区切り、複数の空洞とすることもできる。当該各パートの空洞の大きさは適宜設定することができる。
ここで「背面」とは、滑り台を設置する際にコーナーないし壁を背にする面をいう。また、「背面下方」とは、滑り下りるための滑り口の高さより下の背面をいう。
【００１６】
上記背面下方を開放し、必要に応じて扉を有する収納部とすることができる。開放した内側をそのまま収納部とすることができるが、開放部分に別個独立した、または滑り台と一体となった収納庫を設置することもできる。
【００１７】
当該収納部やその入口の高さは、滑り台によって異なり、また特に制限されない。背面下方の高さによって、当該収納部やその入口の大きさを適宜設定することができる。
【００１８】
当該収納部が有しうる「扉」は、必須なものではないが、ゴキブリなどの昆虫、ネズミ等の侵入を阻止するために、適当なものを設けることが好ましい。かかる扉としては、その目的に適合するば特に制限されないが、例えば、引き戸、開き戸、シャッター、引込み扉、グライドスライドドアを挙げることができる。この中、引き戸が適当である。
【００１９】
当該収納部は、底面を有することができる。
【００２０】
本考案滑り台の材質は、滑り台を作製することができれば特に制限されず、全部が同じ材質である必要はないが、通常、木材（例、ベニア、合板）、プラスチックなどである。主に子供らが使用することを考慮すると、安全性を担保すべきであり、そのために子供らが触れるところは柔らかい素材ないしクッション材（緩衝材）で覆うことが好ましい。そのような緩衝材としては、例えば、ウレタン樹脂、ＰＶＡ、ゴム、発泡ポリエチレンや、ウール、アクリル、ナイロンなどの繊維素材を挙げることができる。その上を更に合皮や本革等のレザーや布などで覆うこともできる。
【００２１】
本考案滑り台の収納部には、例えば、飲料水、お茶、ジュース等が入ったペットボトルやアルミ缶、インスタントラーメン、カップラーメン、パック米等のインスタント食品、保存食、缶詰、お菓子などの食料、医薬品、懐中電灯、乾電池、携帯ラジオ、子供用ないし大人用おむつ、簡易トイレといった非常用備蓄品を収納することができる。本考案滑り台は、コーナーなどに一旦設置されると、その背面にアクセスすることが通常容易でないことから、非常用備蓄品以外の物を収納するには不向きであるが、非常用備蓄品以外の物を収納することを排除するものではない。
【００２２】
本考案滑り台の収納部が底面を有する場合、かかる収納部に上記のような収納品を納めてから、本考案滑り台を部屋のコーナーなどに設置することが一般的である。本考案滑り台の収納部が底面を有しない場合は、本考案滑り台を設置するところに上記のような収納品を床面に置いてから、本考案滑り台を設置することができる。
【考案の効果】
【００２３】
本考案によれば、限られたキッズルームなどの空間を有効に活用しつつ、非常用備蓄品などをストックしておくことができる。また、本考案滑り台に非常用備蓄品をストックしておければ、地震などの非常時に際して有効である。
【図面の簡単な説明】
【００２４】
【図１】市販されている屋内用滑り台の写真である。
【図２】本考案滑り台の一実施態様の正面図である。
【図３】本考案滑り台の一実施態様の背面図である。
【図４】本考案滑り台の一実施態様の左側面図である。
【図５】本考案滑り台の一実施態様の平面図である。
【図６】本考案滑り台の一実施態様の底面図である。
【考案を実施するための形態】
【００２５】
次に、図面に基づき、本考案を実施するための形態について詳述する。なお、本考案は、以下に記載する形態に限定されるものではない。
【００２６】
図面に示される滑り台は、いわばお城の形をした本考案滑り台Ａである。滑り口３を有する５角形の箱型パーツ４と、滑走部１、階段２を組み合わせてなるものである。子供らは、通常の滑り台のように、正面ないし側面の階段２から滑り口３まで上がり、そこから滑走部１を使って床面に滑り降りることができる。
【００２７】
本考案滑り台Ａの背面下方（滑り口３より下の背面）の内側には２つの収納部Ｂを有する。その向かって左側の収納部Ｂは、左右どちらからでも開くことができる引き戸５を有し、右側の収納部Ｂは扉を有さずオープンである。そして、背面下方の内側（収納部Ｂ）は、空洞になっている。
【００２８】
また、本考案滑り台Ａ（箱型パーツ４）は、底面６を有する。
【００２９】
本考案滑り台Ａの基本的な材質は、木材（合板、ベニア）であるが、特に子供らがアクセスする部分はウレタン、ＰＶＡのようなクッション材で覆われている。
【００３０】
本考案滑り台Ａの収納部Ｂには、例えば、前記のような非常用備蓄品やその他の物を収納することができる。
【００３１】
本考案滑り台Ａは、例えば前記のような場所に設置することができる。なお、設置前に、通常、収納部Ｂに非常用備蓄品等は収納され、その後、本考案滑り台Ａは部屋のコーナーなどの所定の位置に設置される。
【産業上の利用可能性】
【００３２】
本考案は、限られたキッズルームなどの空間を有効に活用しつつ、非常用備蓄品などをストックすることができる屋内用滑り台として有用である。
【符号の説明】
【００３３】
Ａ  本考案滑り台
Ｂ  収納部
１  滑走部
２  階段
３  滑り口
４  箱型パーツ
５  引き戸
６  底面
【図２】
0003197799.tif 000003
【図３】
0003197799.tif 000004
【図４】
0003197799.tif 000005
【図５】
0003197799.tif 000006
【図６】
0003197799.tif 000007
【図１】
0003197799.tif 000008